(57)【特許請求の範囲】
【請求項１】
一方に封緘用のバンドが貼着され、他方が封緘部材により予め密封封緘されたバンド付き多層紙袋において、
前記封緘部材に、該封緘部材を破断して前記バンド付き多層紙袋の他方を開封する開封手段を配設するようにし、
前記封緘用のバンドが貼着された前記バンド付き多層紙袋の一方には前記バンドの脱落を防止するバンド補強手段が形成され、
前記バンド補強手段は、前記バンドに隣接する前記バンド付き多層紙袋の一方に形成された一対のスリットにより前記バンドを包み込むように折り曲げ形成された折り曲げ片と、該折り曲げ片を構成する前記バンド付き多層紙袋の層間を接着する第１の接着層と、前記バンドの表面と該バンドと対向する位置の前記バンド付き多層紙袋の表面との間を接着する第２の接着層と、前記バンドと対向する位置の前記バンド付き多層紙袋の層間を接着する第３の接着層とからなり、
前記一方を前記折り曲げ片を覆うように一度折り曲げ、前記折り曲げ片を含む折り曲げ部全体をさらに折り曲げて最終的な折り曲げ部を形成し、これにより前記一方を封緘することを特徴とするバンド付き多層紙袋。
【請求項２】
前記開封手段は開封テープであることを特徴とする請求項１に記載のバンド付き多層紙袋。
【請求項３】
前記バンド付き多層紙袋は、ひだ付きのバンド付き多層紙袋であり、
前記折り曲げ片の形成により前記バンド付き多層紙袋の一方に露出する露出部分と前記折り曲げ片とを接着するようにしたことを特徴とする請求項１又は２に記載のバンド付き多層紙袋。
【発明の詳細な説明】
【技術分野】
【０００１】
この発明は一方をバンドで縛って口部を封緘するようにしたバンド付き紙袋に関し、特に多層の紙袋から構成されたバンド付き多層紙袋に関する。
【背景技術】
【０００２】
一般に、２乃至３層からなる多層のクラフト紙等からなる多層紙袋のうち、表面層の口部側に、その長手方向に沿ってバンドを貼着したバンド付き多層紙袋が従来から提供されている。  
【０００３】
このバンド付き多層紙袋では、開口した口部から内容物を充填した後、バンドを含め当該口部を二回乃至は三回折り曲げ、その後、バンドを真結びして当該口部を封緘するようにしている。
【０００４】
図１１は上述した従来のバンド付き紙袋１（以下単に紙袋１と言う）の概念斜視図で、特に米等の内容物を口部２側から多層枚の紙袋１内に詰め込んだ後、当該口部２側を三回折り曲げ、当該口部２に貼着されたバンド３を真結びして当該口部２側を封緘した状態を示している。なお、このような紙袋１では底部４は予め折り曲げられ、さらに封緘部材である底当て紙５により予め密封封緘されている。
【０００５】
一方、上述したバンド３により口部２を封緘した紙袋１から内容物（例えば米、お茶）を取り出すため、エンドユーザーは真結びしたバンド３を刃物で切断し、その後、口部２の折り曲げを解き、次に紙袋１を持ち上げて移動させ、内容物を例えばホッパー内に投入する作業が必要であった。
【０００６】
なお、従来、殻類や豆類、粉類等を出荷するための容器は一般にクラフト紙を胴貼した複数層からなる紙袋からできている。この紙袋は普通袋開口端が直線状に揃っていると共に、袋開口部一側とこの面に折返した外層紙との間に縛り紐が挟まれて貼着されたものである。この紙袋は、殻類等を収容したのち、袋開口部全体を二、三重に巻き込んで袋の両端を内側に折り畳み、そして縛り紐を止結して袋の封止を行っている（特許文献１の第１頁第１４行〜第１９行、第２頁第１行〜第４行参照）。
また、従来、殻類等を収容する複数層からなる紙袋において、袋開口部一側と、この面に折返した第一層紙とで縛り紐を挟持貼着し、上記一側の表面に現われた第二層紙以下に縦に二本の切込線を入れて舌片を設け、この舌片を折返した第一層紙に折返して貼着して舌片の抜けた袋開口部に切欠部を設けたことを特徴とする開口容易な紙袋が提案されている（特許文献１の特許請求の範囲参照）。
また、従来、袋本体の開閉機構を有する上端開口部近傍に袋上端部を支持するための支持孔を穿設すると共に、前記開口部に開閉ファスナーを設けてなる殻粒用袋において、両側部に重合部を形成しておき、吊りベルトを取り付け、袋本体の下部に平底面を形成し、平底面の中央部にファスナーにより開閉自在な排出口を設けると共に、袋本体内部より上記排出口を開閉可能に被覆保護する内蓋を設けるようにしたことを特徴とする殻粒用袋が提案されている（特許文献２の実用新案登録請求の範囲参照）。
また、従来、筒状紙袋本体の開口部に開封用のカットテープを有する当て紙を接着すると共に、前記紙袋本体の側面にガセットを形成した紙袋において、前記紙袋本体の開口部両側端部に形成した段切部を前記開口部を閉塞するように前記紙袋本体表面側に折り曲げて同段切部を前記当て紙で包囲し、さらに前記カットテープを、前記段切部の上部および下部にそれぞれ配設された第１及び第２のカットテープにより構成したことを特徴とする紙袋が提案されている（特許文献３の特許請求の範囲参照）。
また、従来、ひだ付き多層筒状体の口縁の一方のひだ頂部に沿って外層１乃至数層だけに切込みを入れ、該外層を残して他の層全部を内側に折曲し、前記外層の内面と折曲部の表面部との略全面にわたって糊を施し、前記折曲部端縁に略沿った部分を折曲げ前記糊面を袋本体に貼着してなるひだ付き多層袋が提案されている（特許文献４の特許請求の範囲参照）。
【先行技術文献】
【特許文献】
【０００７】
【特許文献１】実願昭５３−１０２４４９号（実開昭５５−２１９０７号）のマイクロフィルム
【特許文献２】実願昭６１−２７１８４号（実開昭６３−７９３４５号）のマイクロフィルム
【特許文献３】特開平８−１４３０４７号公報
【特許文献４】実公昭４４−１５５７２号公報
【発明の開示】
【発明が解決しようとする課題】
【０００８】
ところで、上述した従来の紙袋１によると、エンドユーザーが口部を開封するためには真結びしたバンド３を刃物で切断し、さらに折り曲げた口部２の折り曲げを解く作業を行わねばならず、その作業が煩雑であるばかりでなく、例えば内容物としてお米を収容した場合は、その紙袋１の重量は約３０ｋｇ程度あり、そのため特にエンドユーザーが紙袋１を持ち上げ、ホッパー等の収容装置内に投入する等の移動作業は極めて重労働であり、また困難を伴う作業であった。
【０００９】
この発明は、上述した事情に鑑み、開封及び移動が簡単なバンド付き多層紙袋を提供する。
【課題を解決するための手段】
【００１０】
上述した課題を解決するため、この発明では、一方に封緘用のバンドが貼着され、他方が封緘部材により予め密封封緘されたバンド付き多層紙袋において、前記封緘部材に、該封緘部材を破断して前記バンド付き多層紙袋の他方を開封する開封手段を配設するようにし、前記封緘用のバンドが貼着された前記バンド付き多層紙袋の一方には前記バンドの脱落を防止するバンド補強手段が形成され、前記バンド補強手段は、前記バンドに隣接する前記バンド付き多層紙袋の一方に形成された一対のスリットにより前記バンドを包み込むように折り曲げ形成された折り曲げ片と、該折り曲げ片を構成する前記バンド付き多層紙袋の層間を接着する第１の接着層と、前記バンドの表面と該バンドと対向する位置の前記バンド付き多層紙袋の表面との間を接着する第２の接着層と、前記バンドと対向する位置の前記バンド付き多層紙袋の層間を接着する第３の接着層とからなり、前記一方を前記折り曲げ片を覆うように一度折り曲げ、前記折り曲げ片を含む折り曲げ部全体をさらに折り曲げて最終的な折り曲げ部を形成し、これにより前記一方を封緘することを特徴としている。
【発明の効果】
【００１１】
上述した、バンド付き多層紙袋によると、真結びされたバンドを例えばクレーン等の機器を使用して持ち上げて移動し、その後、封緘部材に配設された開封手段を操作して破断すると、バンド付き多層紙袋の他方が簡単に開封され、このためバンド付き多層紙袋内に収容された内容物（例えばお米、お茶）は、簡単にホッパー等の収容装置内に収容することができ、このため、エンドユーザーに対する開封及び移動作業が極めて簡単なバンド付き多層紙袋を提供することが出来る。
【発明を実施するための最良の形態】
【００１２】
以下、この発明に係るバンド付き多層紙袋の一実施例を詳述する。
【００１３】
図１はこの発明に係るバンド付き多層紙袋１０（以下単に紙袋１０と言う）を示す正面図である。
【００１４】
この紙袋１０の紙袋本体１１はクラフト紙による二層の筒状体（チューブ体）から構成されたひだ付き紙袋である。
【００１５】
この紙袋本体１１の一方である口部１２はストレートカットされている。また口部１２に隣接するひだ折れ線１３付近の両端部Ｓはそれぞれ約１０ｍｍ程度残し、縦スリットＬが約３０ｍｍ程度切り込まれ、全体が紙袋本体１１の表面側１１ａに折り曲げられてバンド１５を包む多層の折り曲げ片１４が形成されている。
【００１６】
一方、口部１２に隣接する紙袋本体１１の表面側１１ａで前記折り曲げ片１４に隣接する部分には、その長手方向に沿って紙紐等で形成されたバンド１５が従来と同様に予め貼着されている。
【００１７】
また、紙袋本体１１の他方である底部４３は封緘部材である底当て紙１７により予め密封封緘されている。
【００１８】
一方、この底当て紙１７の一部には、紙袋本体１１の背面図で示す図２のように、当該底当て紙１７をその長手方向に沿って破断することが出来る開封手段２０が形成されている。
【００１９】
なお、この開封手段２０は、実施例では開封テープ２０ａにより構成されている。なお、この開封テープ２０ａの存在位置を示すため、底当て紙１７には、その長手方向に沿って、一対のスリット１７ａが形成されている。
【００２０】
一方、図１のＡＡ線断面図で示す図３、および折り曲げ片１４の要部拡大断面図で示す図４のように、前記折り曲げ片１４に予め貼着されたバンド１５の脱落を防止するため、この紙袋本体１１にはバンド補強手段３０が形成されている。
【００２１】
このバンド補強手段３０は、図４で示すように、折り曲げられた前記折り曲げ片１４と、この折り曲げ片１４を構成する紙袋本体１１の外層２１と内層２２との間、つまり紙袋１０の層間を接着する第１の接着層３１と、バンド１５の表面と、それと対向する位置の外層２１の表面との間を接着する第２の接着層３２と、バンド１５と対向する位置の外層２１と内層２２との間、つまり紙袋１０の層間を接着する第３の接着層３３とにより構成されている。
【００２２】
このように、バンド１５と対向する位置の外層２１と内層２２との間、およびバンド１５と対向する位置の外層２１との間を、バンド補強手段３０である第１乃至第３の接着層３１，３２，３３で接着し補強すると、バンド１５が強固に紙袋本体１１と接着し、そのため後述するように、バンド１５の両端を真結びで結んだ後にクレーン等のフックで当該バンド１５を吊り下げてもバンド１５が紙袋本体１１から脱落することが可及的に防止されることとなる。
【００２３】
なお、図３で、符号４０は折り曲げ前の折り曲げ片１４と対向する位置の外層２１と内層２２との間を接着する従来からある接着層、４１，４２はそれぞれ底当て紙１７を外層２１の表面に接着するための接着層であり、また図３に示すように、外層２１と内層２２の各底部４３は予め折り曲げられ、底当て紙１７により封緘されている。
【００２４】
次に上述した、紙袋１０の作用を説明し、併せて構成をより詳細に説明する。
【００２５】
まず、図３に示す位置から図５で示すように口部１２を大きく拡開させ、次に当該口部１２内に矢印Ｂで示すように、内容物、例えばお米Ｒを投入する。
【００２６】
次に、図６で示すように、口部１２の一方５０を折り曲げ片１４を覆うように一度折り曲げ、この折り曲げ片１４を含む折り曲げ部５１全体を図７で示すようにさらに二度ほど折り曲げて最終的な折り曲げ部６０を形成し、これにより口部１２を封緘する。
【００２７】
次に、上述した折り曲げ部６０を図８で示すように、紙袋本体１１の背面側へ湾曲させ、バンド１５の各端部を真結びで結び、これによりハンド１５を締結する。
【００２８】
次に、図示せぬクレーン等の搬送手段のフック７０を図９で示すように、バンド１５に係合させて、紙袋１０を矢印Ｃで示すように吊り上げる。
【００２９】
その際、バンド１５は前述したように、バンド１５と対向する位置の外層２１と内層２２との間、およびバンド１５と対向する位置の外層２１との間を、バンド補強手段３０である第１乃至第３の接着層３１，３２，３３で接着し補強されているから（図４）、バンド１５は強固に紙袋本体１１と接着し、このため内容物（例えばお米）を収容した重い紙袋本体１１をフック７０で持ち上げて移動させても、バンド１５が紙袋本体１１から脱落することなく、容易に移動させることが出来る。
【００３０】
そして、ホッパー等が配置された位置に紙袋１０を移動させ、その後、開封手段２０の開封テープ２０ａを矢印Ｄで示すように引張り、底当て紙１７を破断すると、図１０で示すように、紙袋本体１１の底部４３は容易に開封し、内容物であるお米Ｒを矢印Ｅで示すように下方へ落下させ、ホッパー内に容易に投入することができることとなる。
【００３１】
なお、上記バンド補強手段３０に加え、図１に示す折り曲げ片１４の形成により露出する前記紙袋１０の一方端である口部１２の露出部分８０と前記折り曲げ片１４とをワンタッチ糊等の接着剤で接着するようにして、バンドの補強効果を一層向上させるようにしても良い。
【００３２】
また上記実施例では、二層の紙袋１０としたが、層の数は上記実施例に限定されることなく、二層以上の多層のバンド付き多層紙袋に適用しても良く、また紙袋の形態もひだ付きのものに限らずひだなしのバンド付き多層紙袋に適用しても良い。
【００３３】
またさらに、上記実施例では、別部材としての封緘部材である底当て紙１７に開封手段２０を配設するようにしたが、この発明は上記実施例に限定されることなく、例えば底当て紙１７を使用することなく、いわゆる底ばり袋のように、紙袋本体の一端が封緘部材として一方（底部）を密封するタイプのものにも適用しても良く、要は一方（底部）を密封する封緘部材そのものに開封手段２０を適用すればよい。
【産業上の利用可能性】
【００３４】
以上のように、この発明は、開封及び移動が簡単なバンド付き多層紙袋に適している。 
【図面の簡単な説明】
【００３５】
【図１】図１はこの発明に係るバンド付き多層紙袋の正面図。
【図２】図２はこの発明に係るバンド付き多層紙袋の背面図。
【図３】図３は図１のＡＡ線断面図。
【図４】図４は図３の要部拡大図。
【図５】図５はこの発明に係るバンド付き多層紙袋の作用を示す断面図。
【図６】図６はこの発明に係るバンド付き多層紙袋の作用を示す断面図。
【図７】図７はこの発明に係るバンド付き多層紙袋の作用を示す断面図。
【図８】図８はこの発明に係るバンド付き多層紙袋の作用を示す概念斜視図。
【図９】図９はこの発明に係るバンド付き多層紙袋の作用を示す概念斜視図。
【図１０】図１０はこの発明に係るバンド付き多層紙袋の作用を示す概念斜視図。
【図１１】図１１は従来のバンド付き多層紙袋を示す概念斜視図。
【符号の説明】
【００３６】
１０…バンド付き多層紙袋（紙袋）
１２…一方（口部）
１４…折り曲げ片
１５…バンド
４３…他方（底部）
１７…封緘部材（底当て紙）
２０…開封手段
２０ａ…開封テープ
３０…バンド補強手段
３１…第１の接着層
３２…第２の接着層
３３…第３の接着層
８０…露出部分
Ｌ…スリット
【図１】
0004768258.tif 000002
【図２】
0004768258.tif 000003
【図３】
0004768258.tif 000004
【図４】
0004768258.tif 000005
【図５】
0004768258.tif 000006
【図６】
0004768258.tif 000007
【図７】
0004768258.tif 000008
【図８】
0004768258.tif 000009
【図９】
0004768258.tif 000010
【図１０】
0004768258.tif 000011
【図１１】
0004768258.tif 000012